(57)【特許請求の範囲】
【請求項１】
洗濯兼脱水槽の底部にパルセータを配設し、該パルセータの下方から洗濯兼脱水槽の上部に向けて該洗濯兼脱水槽の内部とは隔離された循環水路を形成し、該循環水路の上端に洗濯兼脱水槽内へ循環水を吐出する吐出口を形成する一槽式洗濯機において、前記循環水路は、洗濯兼脱水槽とは別体の隔壁板を洗濯兼脱水槽の内側に突出させて取り付け、該隔壁板と洗濯兼脱水槽とで形成される空間内に位置させて、該隔壁板と対向し洗濯兼脱水槽の内壁に当接する嵌合板を隔壁板に嵌合し、嵌合板と隔壁板とで形成し、該隔壁板の中央を洗濯兼脱水槽内方に向けて縦方向に山形に突出させてバッフルを一体に形成したことを特徴とする一槽式洗濯機。
【発明の詳細な説明】
【０００１】
【産業上の利用分野】
本発明は、一槽式の全自動洗濯機の特に洗濯兼脱水槽に設ける循環水路に関するものである。
【０００２】
【従来の技術】
全自動洗濯機は、例えば図３にも示すように外箱１内に配設した水受け槽２の内部に、底部にパルセータ３を有する洗濯兼脱水槽４を配設し、洗濯兼脱水槽４の下方にモーター５を配設して、このモーター５の回転をプーリー、Ｖベルト、クラッチ機構６、減速機構７を介して洗濯軸８に、また、さらにモーター５の回転をプーリー、Ｖベルト、クラッチ機構６を介して洗濯兼脱水槽の脱水軸９に伝達するようにしている。
【０００３】
前記洗濯兼脱水槽４は、周壁に多数の脱水孔１０を穿設したもので、パルセータ３の下方から洗濯兼脱水槽４の上部に向けて該洗濯兼脱水槽４の内部とは隔離された縦樋状の循環水路１１を形成し、該循環水路１１の上端に洗濯兼脱水槽４内へ循環水を吐出する吐出口１２を形成してある。
【０００４】
この循環水路１１は、例えばパルセータ３の羽根の回転力を利用して洗濯兼脱水槽４内の水を汲み上げて、上部の吐出口１２から吐出して、洗濯水やすすぎ水を洗濯兼脱水槽４の底部から上部へと循環させ、洗濯効率を上げるものであるが、その具体的構成として従来確立されたものはなかった。
【０００５】
【発明が解決しようとする課題】
このため、循環水路１１の部分の構造が複雑となったり、例えば洗濯兼脱水槽４をステンレス製として汚れが付着しにくくした場合の、循環水路１１の個所での汚れ対策などが十分でなかったり、循環水路１１でのシール性がよくなく、水路内の水が水路外に漏れたりするおそれもあった。
【０００６】
本発明の目的は、前記従来例の不都合を解消し、第１に、循環水路の構造が簡単で容易に形成でき、第２に、洗濯兼脱水槽をステンレス製とする場合に、水路個所での汚れも付着しにくくでき、第３に水路個所のシール性もよく水漏れのおそれのない一槽式洗濯機を提供することにある。
【０００７】
【課題を解決するための手段】
本発明は、前記目的を達成するため、第１に、洗濯兼脱水槽の底部にパルセータを配設し、該パルセータの下方から洗濯兼脱水槽の上部に向けて該洗濯兼脱水槽の内部とは隔離された循環水路を形成し、該循環水路の上端に洗濯兼脱水槽内へ循環水を吐出する吐出口を形成する一槽式洗濯機において、前記循環水路は、洗濯兼脱水槽の周壁を槽内方に膨出させ、該膨出部の外方に位置させて槽の外側に湾曲板を取り付けて、洗濯兼脱水槽の内壁と湾曲板とで形成し、前記膨出部の中央を洗濯兼脱水槽内方に向けて縦方向に山形に突出させてバッフルを一体に形成したことを要旨とするものである。
【０００８】
第２に、循環水路は、洗濯兼脱水槽とは別体の隔壁板を洗濯兼脱水槽の内側に突出させて取り付けて、洗濯兼脱水槽の内壁と隔壁板とで形成し、該隔壁板の中央を洗濯兼脱水槽内方に向けて縦方向に山形に突出させてバッフルを一体に形成したことを要旨とするものである。
【０００９】
第３に、循環水路は、洗濯兼脱水槽とは別体の隔壁板を洗濯兼脱水槽の内側に突出させて取り付け、該隔壁板と洗濯兼脱水槽とで形成される空間内に位置させて、該隔壁板と対向し洗濯兼脱水槽の内壁に当接する嵌合板を隔壁板に嵌合し、嵌合板と隔壁板とで形成し、該隔壁板の中央を洗濯兼脱水槽内方に向けて縦方向に山形に突出させてバッフルを一体に形成したことを要旨とするものである。
【００１０】
【作用】
請求項１記載の本発明によれば、前記作用に加えて、隔壁板と対向し洗濯兼脱水槽の内壁に当接する嵌合板を隔壁板に嵌合し、嵌合板と隔壁板とで循環水路を形成するから、水路は、嵌合板と隔壁板との接合部、及び隔壁板と洗濯兼脱水槽の内壁との接合部の２か所で二重にシールされ、水路内からの水漏れを確実に防げる。
【００１１】
【実施例】
以下、図面について本発明の実施例を詳細に説明する。図１は、本発明の一槽式洗濯機の実施例を示す要部である循環水路部分の横断平面図で、洗濯機の全体構成は既に説明した通りであるから、ここでの詳細な説明は省略する。
【００１２】
洗濯兼脱水槽４の底部に配設したパルセータ３の下方から洗濯兼脱水槽４の上部に向けて該洗濯兼脱水槽４の内部とは隔離された循環水路１１を形成する場合に、本発明では、第１実施例として、循環水路１１は、洗濯兼脱水槽４の周壁を槽内方に縦樋状に一体に膨出させ、該膨出部１３の外方に位置させこれと対向させて洗濯兼脱水槽４の外側に湾曲板１４をビス１５により槽内から取り付けて、洗濯兼脱水槽４の内壁と湾曲板１４とで形成する。
【００１３】
湾曲板１４の曲線カーブは、洗濯兼脱水槽４の周壁のカーブと同率のものとし、膨出部１３の形成によりへこんだ個所の洗濯兼脱水槽４の周壁の部分に、該湾曲板１４が取りつくことで、洗濯兼脱水槽４は全体として平面円形に形成されることになる。
【００１４】
また、膨出部１３の中央を洗濯兼脱水槽４の内方に向けて縦方向に山形に突出させてバッフル１６を一体に形成する。
【００１５】
これにより、洗濯兼脱水槽４の内方に循環水路１１が突出して形成され、循環水路１１を構成する部材の１つである湾曲板１４は、洗濯兼脱水槽４の外部に取り付けられるから、洗濯兼脱水槽４内は、該槽の内壁で一体的に形成され、循環水路１１も槽内では該槽の一部で形成されるから、洗濯兼脱水槽４をステンレス製とした場合は、循環水路１１の槽内への突出部もステンレス製となり、この部分で汚れが付着しやすくなることがない。なお、湾曲板１４はステンレス製とすることも合成樹脂製とすることも可能である。
【００１６】
図２は、第２実施例を示し、前記第１実施例では循環水路１１を構成する部材のうち、洗濯兼脱水槽４の内壁以外の部材を槽外に取り付けたが、これと反対に槽内に取り付けることもでき、端部を長さ方向に沿って外側に湾曲させた縦長の隔壁板１７を洗濯兼脱水槽４の内側に突出させて取り付ける。
【００１７】
この場合、隔壁板１７は、長さ方向にそって両側の湾曲部１７ｂの内側にビス取り付け部１７ａを突出させ、このビス取り付け部１７ａと湾曲部１７ｂとを洗濯兼脱水槽４の内壁に密接して、槽外からビス１５をビス取り付け部１７ａに挿入することで、槽内に隔壁板１７を固定する。これにより、洗濯兼脱水槽４の内壁と隔壁板１７とで循環水路１１を形成する。
【００１８】
そして、第１実施例と同様に隔壁板１７の中央を洗濯兼脱水槽４の内方に向けて縦方向に山形に突出させてバッフル１６を一体に形成する。
【００１９】
この第２実施例では、隔壁板１７のビス取り付け部１７ａと湾曲部１７ｂとの２か所が洗濯兼脱水槽４の内壁に密着するから、シール性に優れ、ビス止め部分も槽内に突出しないから、洗濯兼脱水槽４の内周面が円滑になり、洗濯物の引っ掛かりを防げる。
【００２０】
図３は第３実施例を示し、これは前記第２実施例の構成に加えて、隔壁板１７と洗濯兼脱水槽４とで形成される空間内に位置させて、該隔壁板１７と対向し洗濯兼脱水槽４の内壁に当接する嵌合板１８を隔壁板１７に嵌合し、嵌合板１８と隔壁板１７とで循環水路１１を形成した。
【００２１】
嵌合板１８は、洗濯兼脱水槽４の周壁の曲線カーブと同率のカーブを有する縦長板で、長さ方向に沿って両側に突壁１８ａを立ち上げ、この突壁１８ａの上端に溝条１８ｂを形成した。
【００２２】
他方、隔壁板１７には、前記溝条１８ｂに対向する位置に突条１７ｃを形成し、該突条１７ｃを前記溝条１８ｂに嵌合することで嵌合板１８を隔壁板１７に固定する。この状態で、循環水路１１は隔壁板１７のビス取り付け部１７ａと湾曲部１７ｂとの２か所に加えて、さらに溝条１８ｂと突条１７ｃとによる嵌合個所でシールされ、水漏れを確実に防げる。
【００２３】
以上のようにして、洗いやすすぎ行程でパルセータ３が回転すると、その回転力により洗濯兼脱水槽４内の水が循環水路１１内に汲み上げられ、上部の吐出口１２から槽内に再び吐出する。この循環水路１１による洗濯水の循環によって、洗濯物に洗濯水がよく馴染む。
【００２４】
さらに、例えば洗い行程で、洗濯兼脱水槽４の回転をフリー状態としておくことで、これがパルセータ３と反対方向に回転すれば、洗濯兼脱水槽４の周辺部での洗濯物に水平回転抑制力が加わり、もみ洗い効果が生じ、洗浄性が向上し、また、水跳ねも防止できる。
【００２５】
【発明の効果】
以上述べたように本発明の一槽式洗濯機は、第１に、洗濯兼脱水槽の周壁を槽内方に一体に膨出させ、該膨出部の外方に位置させて槽の外側に湾曲板を取り付けるだけで、循環水路が容易に形成でき、構造も簡単である。そして、洗濯兼脱水槽をステンレス製とした場合、洗濯兼脱水槽の内方に突出する循環水路は槽内では槽と一体のステンレスで形成されるから、この部分でも汚れが付着しにくくなる。また、バッフルも洗濯兼脱水槽に一体に形成したから、容易に形成できる。
【００２６】
第２に、洗濯兼脱水槽とは別体の隔壁板を洗濯兼脱水槽の内側に突出させて取り付けて、洗濯兼脱水槽の内壁と隔壁板とで形成することで、隔壁板と洗濯兼脱水槽との接合部が槽内に位置し、シール性がよくなる。
【００２７】
第３に、隔壁板と対向し洗濯兼脱水槽の内壁に当接する嵌合板を隔壁板に嵌合し、嵌合板と隔壁板とで循環水路を形成するから、水路は、嵌合板と隔壁板との接合部、及び隔壁板と洗濯兼脱水槽の内壁との接合部の２か所で二重にシールされ、水路内からの水漏れを確実に防げるものである。
【図面の簡単な説明】
【図１】本発明の一槽式洗濯機の第１実施例を示す要部の循環水路の横断平面図である。
【図２】本発明の一槽式洗濯機の第２実施例を示す要部の循環水路の横断平面図である。
【図３】本発明の一槽式洗濯機の第３実施例を示す要部の循環水路の横断平面図である。
【図４】本発明の一槽式洗濯機の全体説明図である。
【符号の説明】
１  外箱
２  水受け槽
３  パルセータ
４  洗濯兼脱水槽
５  モーター
６  クラッチ機構
７  減速機構
８  洗濯軸
９  脱水軸
１０  脱水孔
１１  循環水路
１２  吐出口
１３  膨出部
１４  湾曲板
１５  ビス
１６  バッフル
１７  隔壁板
１７ａ  ビス取り付け部
１７ｂ  湾曲部
１７ｃ  突条
１８  嵌合板
１８ａ  突壁
１８ｂ  溝条
【図１】
0003839499.tif 000002
【図２】
0003839499.tif 000003
【図３】
0003839499.tif 000004
【図４】
0003839499.tif 000005